(57)【要約】【課題】タイムラグのない冷却を行うことができ、それによって電力消費を抑制することができる装置を提供する。【解決手段】送信出力レベルとファン回転制御信号を相関テーブル１２に予め記憶しておき、ベースバンド部３は、送信出力レベルを制御するための送信出力情報をパワーアンプ部４に送出する。パワーアンプ部４は、送信出力情報に相応した送信出力レベルまで送信信号を増幅し無線で送出する。ベースバンド部３は、送信出力情報７に従って制御された送信出力レベルの送信出力レベル情報８を監視し、送信出力情報７を送出するのと同時に、送信出力レベル情報８をファン制御部５に送出する。相関テーブル１２を用いて送信出力レベル情報８をファン回転制御信号９に変換し、ファン回転制御信号９でファンを制御する。【選択図】図１
2007295247.tif 000002
【特許請求の範囲】
【請求項１】
無線通信装置を冷却する冷却装置であって、
無線通信装置の送信出力レベルを制御するための送信出力情報を送り、該送信出力情報に従って制御された前記無線通信装置の送信出力レベルを監視し前記送信出力レベルから送信出力レベル情報を生成する得ベースバンド部と、
前記ベースバンド部から前記送信出力情報を受け、送信信号を前記送信出力情報に相応した送信出力レベルまで増幅して無線で送出するパワーアンプ部と、
前記送信出力レベル情報とファンの風量情報を対応付ける相関テーブルを予め記憶しており、該相関テーブルを用いて、前記ベースバンド部で取得された前記送信出力レベル情報を前記風量情報に変換するファン制御部と、
前記ファン制御部で得られた前記風量情報に応じてファンが回転するファン部と、を有する冷却装置。
【請求項２】
前記ファン制御部は、前記ベースバンド部から前記送信出力レベル情報を受け付ける時間間隔を予め設定しておき、該時間間隔で前記ベースバンド部から前記送信出力レベルを受け付ける請求項１記載の冷却装置。
【請求項３】
前記ファン制御部は、前記送信出力レベル情報と、該送信出力レベル情報で示される送信出力レベルまで増幅するときの発熱量に応じた風量を発生させるファンの回転数との対応関係を記憶している請求項１または２記載の冷却装置。
【請求項４】
前記無線通信装置は、移動体通信システムの無線基地局である請求項１から３のいずれか１項に記載の冷却装置。
【請求項５】
無線通信装置を冷却するための冷却方法であって、
送信出力レベル情報と風量情報との対応関係を示す相関テーブルを予め記憶しておき、送信出力情報に従って前記無線通信装置の送信出力レベルを制御し、
前記送信出力情報に従って制御された送信出力レベルを監視しての送信出力レベル情報を生成し、
前記相関テーブルを用いて前記送信出力レベル情報を前記風量情報に変換し、
前記風量情報でファンを制御する冷却方法。
【請求項６】
ファンを制御する時間間隔を予め設定し、該時間間隔で前記送信出力レベル情報を利用してファンを制御する請求項５記載の冷却方法。
【請求項７】
前記相関テーブルは前記送信出力レベル情報が示す送信出力レベルまで送信信号を増幅するときの発熱量に応じた風量情報を記憶している請求項５または６記載の冷却方法。
【請求項８】
前記無線通信装置は、移動体通信システムの無線基地局である請求項５から７のいずれか１項に記載の冷却方法。
【発明の詳細な説明】
【技術分野】
【０００１】
本発明は、無線通信装置を冷却する冷却装置に関し、特に無線基地局装置を冷却する装置に関する。
【背景技術】
【０００２】
無線基地局装置内に熱が蓄積すると、装置の動作が不安定になることや故障の原因となることがある。そのため、装置内で発生した熱を放熱する必要があり、ファンを利用して装置内の冷却を行っている。
【０００３】
例えば、特許文献１は、パワーアンプを備えた無線基地局の冷却を行う冷却ファンに関する技術を開示している。パワーアンプへの入力信号と同じ信号が制御装置にも入力されており、制御装置は入力信号に応じて冷却装置の冷却ファンを稼動させ、パワーアンプを冷却する。
【０００４】
さらに他の例として、温度センサが感知した温度に応じて冷却ファンの回転を制御する方法がある。図４に示すような無線基地局装置は、部品あるいは周辺の温度が所定の温度に達すると、冷却に必要なファンの回転を制御して装置内を冷却するフィードバック方式である。図５は、図４示した無線基地局装置の動作を示すフローチャートである。図５を参照すると、まずベースバンド部３からパワーアンプ４に送信出力情報７を出力し（ステップ１０１）、送信出力レベルまで送信信号を増幅して無線で送出する（ステップ１０２）。その際、パワーアンプ４は熱を発し、装置内の温度が所定の温度に達すると（ステップ１０３）、装置内に設置した温度センサ１０はファン制御部５に温度情報１１を出力し（ステップ１０４）、ファン制御部５が温度情報１１に応じてファン６に対してファン回転制御信号９を出力する（ステップ１０５）。ファン回転制御信号９を受信したファン６は、ファンを回転させ装置内を冷却する（ステップ１０６）。無線基地局装置は、この一連の動作を繰り返すことで、装置内の温度を許容範囲内に維持する。
【特許文献１】実案昭６３−１３１２２３号公報
【発明の開示】
【発明が解決しようとする課題】
【０００５】
しかしながら、温度センサ１０を利用したフィードバック方式では、温度センサ１０が温度情報１１を監視し、部品あるいは周辺温度が所定の温度に達したことを感知すると、ファン制御部５がファン６を回転させる。そのため、部品あるいは周辺の温度が所定の温度に達しないと、ファン６は回転せず、周辺温度と冷却に必要なファン６の回転にタイムラグが生じていた。また、必要な風量への即時な追随性に関して必ずしも最適の制御ができておらず、必要以上にファン６を回転させていたため、余分な電力を消費していた。
【０００６】
本発明の目的は、タイムラグのない冷却を行うことができ、それによって電力消費を抑制することができる装置を提供することにある。
【課題を解決するための手段】
【０００７】
上記目的を達成するために、本発明の無線通信装置は、
無線通信装置を冷却する冷却装置であって、
無線通信装置の送信出力レベルを制御するための送信出力情報を送り、該送信出力情報に従って制御された前記無線通信装置の送信出力レベルを監視し前記送信出力レベルから送信出力レベル情報を生成する得ベースバンド部と、
前記ベースバンド部から前記送信出力情報を受け、送信信号を前記送信出力情報に相応した送信出力レベルまで増幅して無線で送出するパワーアンプ部と、
前記送信出力レベル情報とファンの風量情報を対応付ける相関テーブルを予め記憶しており、該相関テーブルを用いて、前記ベースバンド部で取得された前記送信出力レベル情報を前記風量情報に変換するファン制御部と、
前記ファン制御部で得られた前記風量情報に応じてファンが回転するファン部とを有している。
【０００８】
本発明によれば、パワーアンプ部の発熱に対して、ファン制御部がベースバンド部から送信出力レベル情報を受け付け、ファン部に対してファン回転制御信号を送出することにより、装置の発熱量に相応したタイムラグのない冷却を行うことができる。また、送信出力レベルに相応するファン回転制御を行うことで、必要以上にファンを回転させないため、電力消費を抑制することができる。
【発明の効果】
【０００９】
本発明によれば、タイムラグのない冷却を行うことができ、それによって電力消費を抑制することができる。
【発明を実施するための最良の形態】
【００１０】
本発明を実施するための形態について図面を参照して詳細に説明する。
【００１１】
図１は、本実施形態の無線基地局装置の構成を示すブロック図である。本実施形態では、収容箱１内に無線基地局装置２を有しており、無線基地局装置２はベースバンド部３、パワーアンプ部４、ファン制御部５、およびファン部６を有している。
【００１２】
収容箱１は、複数の送受信機を収容し、かつファンの送風による強制空冷機能を有しており各送受信機の周辺を均一な温度に保つ。
【００１３】
無線基地局装置２は、移動体通信システムに対応した送受信機能を持ち、運用を行う。
【００１４】
ベースバンド部３は、無線基地局装置２の送信出力レベルを制御するための送信出力情報７をパワーアンプ部４に送出する。また、ベースバンド部３は、パワーアンプ部４の送信出力レベルを監視し、送信出力情報に従って制御された無線基地局装置２の送信出力レベルを送信出力レベル情報８としてファン制御部５に送出する。
【００１５】
パワーアンプ部４は、ベースバンド部３が送出した送信出力情報７を受信し、送信出力情報７に相応した送信出力レベルまで送信信号を増幅し無線で送出する。
【００１６】
ファン制御部５は、ファン部６のファンの回転を制御する。ファン制御部５は、ベースバンド部３が出力した送信出力レベル情報８を受信すると、その送信出力レベル情報８を運用維持に必要な風量のファン回転制御信号９に変換し、ファン部６に送出する。
【００１７】
ファン部６は、ファン制御部５が出力したファン回転制御信号９を受信し、ファン回転制御信号９に相応した回転を行う。
【００１８】
本実施形態では、パワーアンプ部４の送信出力レベルに基づいてファン部６の回転を制御する。装置の発熱はパワーアンプ部４の発熱に大きく依存し、パワーアンプ部４の発熱は送信出力レベルに伴って変化する。そのため、ベースバンド部３で検出されるパワーアンプ部４の送信出力レベル情報８を利用することで、ファン回転制御を行うことができる。
【００１９】
図２は、無線基地局装置の動作を示すフローチャートである。まず、ベースバンド部３は、パワーアンプ部４に送信出力情報７を送信する（ステップ２０１）。送信出力情報７を受信したパワーアンプ部４は、送信出力情報７に相応した送信出力レベルまで送信信号を増幅し無線で送出する（ステップ２０２）。
【００２０】
ベースバンド部３はパワーアンプ部４に送信出力情報７を送信するのと同時刻に、ファン制御部５に送信出力レベル情報８を送信する（ステップ２０１）。送信出力レベル情報８を受信したファン制御部５は、送信出力レベル情報８をファン回転制御信号９に変換しファン部６にファン回転制御信号９を送出する（ステップ２０３）。ファン制御部５からファン回転制御信号９を受信したファン部６は、ファン回転制御信号９に相応した速度で回転する（ステップ２０４）。以降、適当な時間ごとに上記動作を繰り返す。
【００２１】
図３は、ファン制御部５が記憶している相関テーブル１２である。相関テーブル１２は、送信出力レベル情報８とファンの回転数であるファン回転制御信号９との対応関係を示すテーブルである。送信出力レベル情報８を受信したファン制御部５は相関テーブル１２を参照してファン回転制御信号９に変換する。その際、ファン制御部５でベースバンド部３から送信出力レベル情報８を受け付ける時間間隔を設定することで、ファンの回転制御を効果的に行うことができる。例えば、設定時間を１０秒毎に設定した場合、運用開始時（０［Ｓ］）、送信出力停止（０［Ｗ］）の送信出力レベル情報８を入力し、ファン回転停止（０［ｒｐｍ］）のファン回転制御信号９を出力する。１０［Ｓ］後、０．５［Ｗ］の送信出力レベル情報８を入力し、１０００［ｒｐｍ］のファン回転制御信号９を出力する。２０［Ｓ］後、１［Ｗ］の送信出力レベル情報１１を入力し、１５００［ｒｐｍ］のファン回転制御信号８を出力する。３０［Ｓ］後、３［Ｗ］の送信出力レベル情報８を入力し、２０００［ｒｐｍ］のファン回転制御信号９を出力する。
【００２２】
相関テーブル１２が記憶するファン回転制御信号９は、パワーアンプ部４の送信出力に伴う発熱により無線基地局装置２内の部品類が熱的ダメージにより故障しない温度に相応した必要な回転数である。相関テーブル１２は、無線基地局装置２が収容箱１に設置される前、例えば、工場出荷時に、あらかじめ書き込まれている。相関テーブル１２の送信出力レベル情報１１の送信出力レベルの間隔を短くすることで、さらに精度が高く、効率のよいファン回転制御を行うことができる。また、ファン制御部５がベースバンド部３から送信出力レベル情報を受け付ける時間間隔を短く設定することで、さらにタイムラグのない冷却を行うことができる。
【００２３】
以上説明したように、本実施形態によれば、パワーアンプ部４の発熱に対して、ファン制御部５がベースバンド部３から送信出力レベル情報８を受け付け、ファン部６に対してファン回転制御信号９を送出することにより、装置の発熱量に相応したタイムラグのない冷却を行うことができる。また、送信出力レベルに相応するファン回転制御を行うことで、必要以上にファンを回転させないため、電力消費を抑制することができる。
【００２４】
なお、本実施形態としては移動体通信システムの無線基地局を冷却する構成を例示したが、本発明はこれに限定されるものではない。本発明は、パワーアンプで増幅した信号を無線で送出する無線通信装置の冷却に広く適用することができる。
【図面の簡単な説明】
【００２５】
【図１】本実施形態による無線基地局装置の構成を示すブロック図である。
【図２】本実施形態による無線基地局装置の動作を示すフローチャートである。
【図３】本実施形態によるファン制御部５の相関テーブル１２である。
【図４】従来例による無線基地局の構成を示すブロック図である。
【図５】従来例による無線基地局の動作を示すフローチャートである。
【符号の説明】
【００２６】
１    収容箱
２    無線基地局装置
３    ベースバンド部
４    パワーアンプ部
５    ファン制御部
６    ファン部
７    送信出力情報
８    送信出力レベル情報
９    ファン回転制御信号
１０  温度センサ
１１  温度情報
１２  相関テーブル
１０１〜１０６    ステップ
２０１〜２０４    ステップ
【図１】
2007295247.tif 000003
【図２】
2007295247.tif 000004
【図３】
2007295247.tif 000005
【図４】
2007295247.tif 000006
【図５】
2007295247.tif 000007